(57)【特許請求の範囲】
【請求項１】
各消火区画に配置された閉鎖型のスプリンクラーヘッド及び火災感知器と、
前記スプリンクラーヘッドへ消火用水を供給する制御弁を制御するスプリンクラー制御盤と、
前記火災感知器からの火災信号を受信して前記スプリンクラー制御盤に出力する火災受信盤とを備え、
定常監視状態においては、前記制御弁を開状態として前記スプリンクラーヘッドに消火用水を供給し、
前記スプリンクラーヘッドに供給された消火用水の流水が検知された場合であって、該流水の検知されたスプリンクラーヘッドに対応する火災感知器からの火災信号がない場合、前記スプリンクラー制御盤は前記制御弁を閉状態として前記スプリンクラーヘッドへの消火用水の供給を停止するスプリンクラー消火設備において、
前記火災受信盤は、
前記感知器回線に流れる電流の有無を検出することにより該感知器回線の断線状態を検出し、該断線状態が検出された場合には該断線状態に対応した障害信号を前記スプリンクラー制御盤に対して出力し、
前記スプリンクラー制御盤は、
前記火災感知器から前記火災受信盤に対して前記火災信号を送出するための感知器回線を用いて、前記感知器回線を所定タイミングで所定間隔にて断線状態とすることにより該感知器回線を流れる電流を所定のパルス状態とし、前記火災受信盤から送出される障害信号が前記所定のパルス状態に対応するか否かを判断することにより、前記火災受信盤が正常であるか否かを検出する機能検出手段を備え、
前記流水が検知された場合でかつ前記火災信号がない場合において、前記機能検出手段にて前記火災受信盤が正常でないことが検出された場合には、前記制御弁を開状態に維持して前記スプリンクラーヘッドへの消火用水の供給を継続すること、
を特徴とするスプリンクラー消火設備。
【請求項２】
前記感知器回線を断線状態とするためのスイッチを前記感知器回線の終端側に設け、前記機能検出手段は、前記スイッチを介して前記所定のパルス状態を生成することを特徴とする請求項１記載のスプリンクラー消火設備。
【発明の詳細な説明】
【０００１】
【発明の属する技術分野】
本発明は、火災発生時にスプリンクラーヘッドから消火用水を放水して消火を行うスプリンクラー消火設備に関し、特に異常放水時における放水停止機能を有する水損防止機能付きのスプリンクラー消火設備に関する。
【０００２】
【従来の技術】
従来、この種のスプリンクラー消火設備としては、例えば特開平１０−５３６５号に示されているものがある。この従来のスプリンクラー消火設備の全体構成を図３に示す。この図３においてスプリンクラー消火設備は、主として集合住宅の各住戸を１つの消火区画として放水を行うもので、各消火区画の各部屋内には閉鎖型のスプリンクラーヘッド５１が配置されており、このスプリンクラーヘッド５１には分岐管５２を介して給水本管５３から消火用水が供給される。
【０００３】
この給水本管５３の一端は消火ポンプ５４を介して貯水槽５５に接続されている。また給水本管５３には圧力タンク５６が分岐接続されており、この圧力タンク５６によって給水本管５３内の管内圧力が規定圧に保持されている。この圧力タンク５６には圧力スイッチ５７が設けられており、スプリンクラーヘッド５１が作動して給水本管５３の管内圧力が所定以下に低下したことが圧力スイッチ５７にて検出されると、ポンプ制御盤５８にてモータ５９が駆動されて消火ポンプ５４が運転され、消火用水が給水本管５３に供給される。これによって放水が継続して行われる。また給水本管５３の他端は高架水槽６０に引き込まれている。そして高架水槽６０から給水本管５３に対して消火用水が供給され、給水本管５３に消火用水を常時充満させている。
【０００４】
また分岐管５２には、制御弁６１と流水検知装置６２とが設けられている。このうち制御弁６１は分岐管５２の開閉を行うことにより消火用水の給水を制御するものであり、定常監視状態において開放状態に維持されている。したがって定常監視状態において、消火用水は制御弁６１を介して各スプリンクラーヘッド５１に供給されている。
【０００５】
また流水検知装置６２は制御弁６１の二次側に設けられており、流水検知スイッチ６３を備えている。この流水検知装置６２において、スプリンクラーヘッド５１が火災による熱を受けて作動したときの消火用水の放水によって発生する水流による弁開放又は圧力低下等が検出されると、流水検知スイッチ６３から流水信号が出力される。この流水信号は消火用中継器６４を経由してスプリンクラー制御盤６５に出力される。またスプリンクラー制御盤６５からの制御弁６１に対する制御信号も、消火用中継器６４を経由して出力される。
なお分岐管５２の端末側には末端試験弁６６、オリフィス６７、及び圧力計６８が設けられており、末端試験弁６６を開くとオリフィス６７にて決定される量の消火用水が分岐管５２に流れ、流水検知装置６２を擬似的に作動させて試験運転を行うことができる。
【０００６】
また各消火区画の各部屋内には火災感知器７０が配置されている。この火災感知器７０は感知器回線７１を介して火報用中継器７２に接続されており、火災を感知した際に感知器回線７１を低インピーダンス短絡することによって火災信号が出力される。火災感知器７０から出力された火災信号は火災用中継器７２を介して火災受信盤７３に入力される。このように火災信号が入力されると、火災受信盤７３はスプリンクラー制御盤６５に対して移報信号を出力する。
【０００７】
また火災受信盤７３においては、感知器回線７１の断線の有無が監視され、断線が発生している場合には、スプリンクラー制御盤６５に対して障害信号が出力される。具体的には、火災受信盤７３においては感知器回線７１に流れる微少電流が常時検出されており、微少電流が検出されなくなった場合には断線が発生したものと判断され、障害信号が出力される。
【０００８】
このように構成されたスプリンクラー消火設備において、スプリンクラー制御盤６５は、定常監視状態で制御弁６１を開放状態に維持し、流水検知装置６２の流水検知スイッチ６３からの流水信号、火災受信盤７３からの火災信号の有無を監視している。
その後、火災によって生じた熱を受けてスプリンクラーヘッド５１が作動することにより消火用水が放水されると、流水検知装置６２が作動して流水信号がスプリンクラー制御盤６５に出力される。スプリンクラー制御盤６５においては、流水信号が出力されると、火災信号及び障害信号の有無を確認して、その結果により制御弁６１の開閉を制御する。
【０００９】
具体的には、火災信号が出力された場合には正常な放水であるとして制御弁６１の開状態を維持する。このようにスプリンクラーヘッド５１による放水が行われると、給水本管５３の管内圧力が所定以下に低下したことが圧力スイッチ５７にて検出され、ポンプ制御盤５８がモータ５９を駆動して消火ポンプ５４を運転する。このように消火ポンプ５４が運転されることによって、スプリンクラーヘッド５１による放水が継続的に行われる。そして火災が鎮火すると、スプリンクラー制御盤６５は制御弁６１を閉止制御する。
【００１０】
逆に、流水信号が出力されたにも関わらず、火災信号が出力されない場合には、さらに障害信号の有無を確認して制御弁６１の制御を行う。
具体的には、火災信号が出力されていない場合において障害信号も出力されていない場合、スプリンクラー制御盤６５は、制御信号を消火用中継器６４を介して制御弁６１に出力し、この制御弁６１を閉状態に制御する。したがって火災が発生していないにも関わらず、スプリンクラーヘッド５１が破損した等の理由によって放水を開始してしまった場合にも、放水を自動的に停止させて水損被害を最小限に行うことができる。
【００１１】
一方、火災信号が出力されていない場合において障害信号が出力されている場合、制御弁６１は開状態に維持され、放水が継続して行われる。したがって火災が発生しているにも関わらず、感知器回線５２の断線によって火災信号が出力されない場合には、不用意に放水が停止されることが禁止される。
【００１２】
【発明が解決しようとする課題】
しかしながら従来のこのようなスプリンクラー消火設備においては、火災感知システムにおける障害の有無を火災受信盤７３からの障害信号の有無によってのみ検出していたので、必ずしも十分な検出を行うことができない場合があった。すなわち火災受信盤７３の電源が遮断されていたり、火災受信盤７３の内部の制御ＣＰＵ等に機能異常があった場合には、火災信号が出力されないばかりか、障害信号も出力されないことになる。このような場合、火災の熱によってスプリンクラー７０が正常に作動し、放水が行われて流水信号が出力されていても、スプリンクラー制御盤６５は火災受信盤７３から火災信号及び障害信号のいずれも出力されていないために制御弁６１を閉状態に制御してしまい、火災が発生しているにも関わらず放水を停止してしまう危険性があった。
【００１３】
特に一般住宅用の火災受信盤は、コスト低減の観点からバックアップ電源等を備えることなく簡易に構成されることが多く、必ずしも信頼性に優れているとはいえない面があるため、上述のような火災受信盤の電源遮断等の可能性は無視できるものではなかった。また火災受信盤には上記コスト低減の要請が大きいため、火災感知器や火災受信盤自体の構成を変更することなく上記問題を解決することが要望されていた。
【００１４】
本発明は、従来のこのようなスプリンクラー消火設備における問題点に鑑みてなされたもので、簡易な構成により、火災受信盤の異常時には放水を不用意に停止せず継続することのできるスプリンクラー消火設備を提供することを目的とする。
【００１５】
【課題を解決するための手段】
上記従来のスプリンクラー消火設備における問題点を解決するために請求項１記載の本発明は、各消火区画に配置された閉鎖型のスプリンクラーヘッド及び火災感知器と、前記スプリンクラーヘッドへ消火用水を供給する制御弁を制御するスプリンクラー制御盤と、前記火災感知器からの火災信号を受信して前記スプリンクラー制御盤に出力する火災受信盤とを備え、定常監視状態においては、前記制御弁を開状態として前記スプリンクラーヘッドに消火用水を供給し、前記スプリンクラーヘッドに供給された消火用水の流水が検知された場合であって、該流水の検知されたスプリンクラーヘッドに対応する火災感知器からの火災信号がない場合、前記スプリンクラー制御盤は前記制御弁を閉状態として前記スプリンクラーヘッドへの消火用水の供給を停止するスプリンクラー消火設備において、前記火災受信盤は、前記感知器回線に流れる電流の有無を検出することにより該感知器回線の断線状態を検出し、該断線状態が検出された場合には該断線状態に対応した障害信号を前記スプリンクラー制御盤に対して出力し、前記スプリンクラー制御盤は、前記火災感知器から前記火災受信盤に対して前記火災信号を送出するための感知器回線を用いて、前記感知器回線を所定タイミングで所定間隔にて断線状態とすることにより該感知器回線を流れる電流を所定のパルス状態とし、前記火災受信盤から送出される障害信号が前記所定のパルス状態に対応するか否かを判断することにより、前記火災受信盤が正常であるか否かを検出する機能検出手段を備え、前記流水が検知された場合でかつ前記火災信号がない場合において、前記機能検出手段にて前記火災受信盤が正常でないことが検出された場合には、前記制御弁を開状態に維持して前記スプリンクラーヘッドへの消火用水の供給を継続することを特徴としてなる。
【００１６】
また請求項２記載の本発明は、請求項１記載の本発明において、前記感知器回線を断線状態とするためのスイッチを前記感知器回線の終端側に設け、前記機能検出手段は、前記スイッチを介して前記所定のパルス状態を生成することを特徴としてなる。
【００１８】
上記本発明のスプリンクラー制御盤は、火災感知器から火災受信盤に対して火災信号を送出するための感知器回線を用いて、火災受信盤が正常であるか否かを検出する機能検出手段を備え、流水が検知された場合でかつ火災信号がない場合、火災受信盤が正常でないことが検出された場合には、スプリンクラーヘッドへの消火用水の供給を継続するように構成したので、火災受信盤の電源遮断やＣＰＵ異常等の機能異常が存在する場合には制御弁が開状態に維持され放水が継続され、火災受信盤の異常時に不用意に放水が停止されることが禁止され、火災消火を一層確実かつ安全に行うことができる。
【００１９】
【発明の実施の形態】
以下、本発明のスプリンクラー消火設備の一実施形態について図面を参照して詳細に説明する。図１はスプリンクラー消火設備の全体構成を示す図、図２はスプリンクラー制御のフローチャートである。
図１において本実施形態のスプリンクラー消火設備は、主として集合住宅の各住戸を１つの消火区画として放水を行うもので、各消火区画の各部屋内にはスプリンクラーヘッド１が配置されている。このスプリンクラーヘッド１は閉鎖型に構成され、火災による熱を受けた際にその内部の金属を溶融させること等によって自動的に開放し、放水を開始する。
【００２０】
このスプリンクラーヘッド１は分岐管２を介して給水本管３に接続されており、これら給水本管３及び分岐管２を介してスプリンクラーヘッド１に消火用水が供給される。
この給水本管３の一端は建屋の地下室等に引き込まれ、消火ポンプ４を介して貯水槽５に接続されている。また給水本管３には圧力タンク６が分岐接続されており、この圧力タンク６によって給水本管３を加圧することにより該給水本管３内の管内圧力が規定圧に保持されている。この圧力タンク６には圧力スイッチ７が設けられており、スプリンクラーヘッド１が作動して給水本管３の管内圧力が所定以下に低下したことが圧力スイッチ７にて検出されると、ポンプ制御盤８にてモータ９が駆動されて消火ポンプ４が運転され、貯水槽５内の消火用水が給水本管３に継続して供給される。これによって放水が継続して行われる。なお消火ポンプ４が運転されている際には、その旨を示すポンプ運転信号がポンプ制御盤８から後述する住棟受信盤２４に対して出力される。
また給水本管３の他端は、建屋屋上等の高所に配置した高架水槽１０に引き込まれている。そして高架水槽１０から給水本管３に対して消火用水が自重にて供給され、給水本管３に消火用水を常時充満させている。
【００２１】
また給水本管３から引き出された分岐管２には、制御弁１１と流水検知装置１２とが設けられている。
このうち制御弁１１は、分岐管２の開閉を行うことにより消火用水の給水を制御するものであり、具体的には後述するスプリンクラー制御盤２５の制御部２８の制御によってモータ駆動される電動弁として構成されている。この制御弁１１は、後述する定常監視状態において開放状態に維持されている。したがって定常監視状態において、消火用水は制御弁１１を介して各スプリンクラーヘッド１に供給されており、湿式スプリンクラー設備と同じ加圧水の供給状態となっている。
【００２２】
この制御弁１１にはバイパス弁１３が並列に接続されており、制御弁１１が制御不能となった場合には、バイパス弁１３を手動操作にて開閉させることによって消火用水の供給を停止させることができる。このバイパス弁１３は定常監視状態においては閉じられている。また制御弁１１の二次側に設けた圧力検出装置１４は、分岐管２の圧力が規定圧力以上のときに圧力信号を出力する。
【００２３】
また流水検知装置１２は制御弁１１の一次側に設けられており、スプリンクラーヘッド１が火災による熱を受けて作動したときの消火用水の放水によって発生する水流による弁開放又は圧力低下等を検出する。この弁開放又は圧力低下等が流水検知装置１２にて検出されると流水検出スイッチ１５がオンとなり、この流水検出スイッチ１５から流水信号が出力される。
なお分岐管２の端末側には末端試験弁１６、オリフィス１７、及び圧力計１８が設けられており、末端試験弁１６を開くとオリフィス１７にて決定される量の消火用水が分岐管２に流れ、流水検知装置１２を擬似的に作動させて試験運転を行うことができる。
【００２４】
また各消火区画の各部屋内には火災感知器２０が配置されている。この火災感知器２０は２重線路たる感知器回線２１及び端子ボックス２２を介して火災受信盤２３に接続されており、火災を感知した際に感知器回線２１を低インピーダンス短絡することによって火災信号を出力する。この火災信号は、火災受信盤２３に入力され、また同時に住棟受信盤２４に入力されて火災発生が表示される。
【００２５】
この火災受信盤２３は、消火区画となる各住戸毎に設けられるもので、火災感知器２０から出力された火災信号をスプリンクラー制御盤２５に対して移報信号として出力する。
また火災受信盤２３においては、感知器回線２１の断線が監視される。そして障害が発生している場合には、火災受信盤２３からスプリンクラー制御盤２５に対して障害信号が出力される。具体的には、火災受信盤２３においては感知器回線２１に流れる微少電流が常時検出されており、微少電流が検出されなくなった場合には障害が発生したものと判断されて障害信号が出力される。この障害信号は、微少電流が検出されていない間は継続して出力され、微少電流が再び検出された場合には出力が停止される。すなわち障害信号は、微少電流に対応したパルスにて出力される。
【００２６】
次に、スプリンクラー制御盤２５の構成について説明する。
上述のように、圧力検出装置１４から出力された圧力信号、流水検知スイッチ１５から出力された流水信号、火災受信盤２３から出力された火災信号及び障害信号は、スプリンクラー制御盤２５に入力される。
このスプリンクラー制御盤２５は、消火区画となる各住戸毎に設けられるもので、これら圧力信号、流水信号、火災信号及び障害信号等に基づいて制御弁１１の制御を行う。
【００２７】
このような機能を実現するためスプリンクラー制御盤２５には、感知器回線２１を断線状態とするためのスイッチ２６と、火災受信盤２３が正常であるか否かを検出する機能検出手段たる機能検出部２７を備える制御部２８とが設けられている。
【００２８】
このうちスイッチ２６は感知器回線２１中に配置されるもので、機能検出部２７の制御による所定のタイミングにて所定間隔でオンオフされ、感知器回線２１を断線状態又は通線状態とする。これによって感知器回線２１を流れる微少電流が所定のパルス状態とされる。特に本実施形態においてスイッチ２６は、スプリンクラー制御盤２５内に配置された感知器回線２１の終端抵抗Ｒ１の下流側に設けられている。したがって火災感知器２０から出力された火災信号はスイッチ２６のオンオフ状態に関係なく感知器回線２１を介して火災受信盤２３に到達し、火災感知を不用意に妨げることがない。
【００２９】
また機能検出部２７は、スイッチ２６を上述のようにオンオフ駆動し、またこの際に火災受信盤２３から出力される障害信号を監視する。そして火災受信盤２３から出力された障害信号が所定のパルス状態（スイッチ２６のオンオフにて生じるパルス状態）に対応するか否かを判断する。そして障害信号が所定のパルス状態に対応する場合には、火災受信盤２３が正常であると判断する。一方、障害信号が全く出力されない場合や、出力された障害信号が所定のパルス状態に対応しない場合には、火災受信盤２３に電源遮断やＣＰＵ異常等の機能異常がある（火災受信盤２３が正常でない）ものと判断する。
【００３０】
またスプリンクラー制御盤２５からは、後述する住棟受信盤２４に対し、流水検知装置１２の作動状態や制御弁１１の開閉状態等の各種状態に関する状態信号が端子ボックス２９を介して出力される。なおスプリンクラー制御盤２５には緊急停止スイッチ３０が設けられており、この緊急停止スイッチ３０が押された場合には制御弁１１が閉状態とされて放水が停止される。このスプリンクラー制御盤２５に対しては、端子ボックス３１を介して、ポンプ制御盤８に対するＡＣ１００ボルトの電源線３２から電源が供給される。
【００３１】
住棟受信盤２４は例えば管理人室等に配置されるもので、ポンプ制御盤８からポンプ運転信号、火災感知器２０から火災信号、あるいはスプリンクラー制御盤２５から状態信号が出力された際、これら信号が出力されている旨を示す図示しない表示灯を点灯させる。これによって管理人はスプリンクラー消火設備の運転状況を集約的に監視することができる。
【００３２】
次に、上記のように構成されたスプリンクラー消火設備におけるスプリンクラー制御について図２を参照して説明する。
まず制御の開始時（ステップＳ１）においては、制御部２８にデフォルト設定された初期制御によって制御弁１１は開状態に制御され、スプリンクラーヘッド１に至るまで消火用水が満たされている。その後、流水信号と火災信号の有無が監視される（定常監視状態、ステップＳ２、Ｓ３）。ここで、圧力検出装置１４では分岐管２の圧力が規定圧力以上であることが検出され、圧力信号が出力されている。またこの時点では火災が発生していないため、火災信号は出力されていない。よってステップＳ２、Ｓ３、Ｓ７によって制御弁１１の開状態が維持される。
【００３３】
ここで始めにステップＳ３において火災信号が検出されると、制御部２８は火災が発生したものと判断して制御弁１１の開状態を維持する（ステップＳ４）。そして火災の熱によってスプリンクラーヘッド１が自動的に作動することにより、消火区画に対して放水が行われる。
このようにスプリンクラーヘッド１が作動して給水本管３の管内圧力が所定以下に低下したことが圧力スイッチ７にて検出されると、ポンプ制御盤８がモータ９を駆動して消火ポンプ４を運転し、放水が継続して行われる。
【００３４】
その後、緊急停止スイッチ３０が押されたか否かが監視される（ステップＳ５）。緊急停止スイッチ３０が押された場合には、それ以上の放水を行う必要がないために、制御部２８から制御弁１１に対して制御信号が出力され制御弁１１が閉じられる（ステップＳ６）。これによってスプリンクラーヘッド１による放水が停止し、必要以上に放水を行うことが防止される。なお、この放水停止以外にも、操作員が流水検知装置１２のバルブを閉めることにより放水停止を行うこともできる。また後述するように、火災信号がオフすることで制御弁１１が閉鎖制御されて放水が停止する。
【００３５】
なおステップＳ７において圧力信号の有無を確認するのは、制御弁１１のハンチング動作を防止するためである。すなわちスプリンクラーヘッド１が破損等により誤動作した場合において、従来と同様に、火災信号が出力されていないことを理由として制御弁１１を閉じると、スプリンクラーヘッド１からの放水が停止して流水信号がオフとなる。これは定常監視状態と同じ状態であるため、復旧条件が整ったものと判断して制御弁１１を開制御すると、破損したスプリンクラーヘッド１から再び放水が開始される。したがって放水の開放と閉鎖が繰り返えされ、破損したヘッドから断続的に放水が行われることになる。このような弊害を防止するため、圧力信号が出力されている場合は、定常監視状態もしくは放水後にスプリンクラーヘッド１が交換され復旧条件が整ったものと判断して、制御弁１１を開制御する。一方、圧力信号が出力されていない場合は、スプリンクラーヘッド１の作動後の火災信号を待機している状態、もしくはスプリンクラーヘッドが破損している状態と判断し、制御弁１１を閉制御する。
【００３６】
一方、定常監視状態において、火災信号が検出される前にステップＳ２において流水信号が検知されると、まず制御部２８は火災信号が出力されるか否かを確認する（ステップＳ９）。ここで火災信号が出力された場合には、火災が発生しておりスプリンクラーヘッド１の放水は正常なものであると判断して、ステップＳ４に移行して制御弁１１を開状態に維持して放水を継続する。その後は、上述のステップＳ５、Ｓ６と同じである。
【００３７】
またステップＳ９において火災信号が出力されない場合、実際には火災が発生しているにも関わらず、感知器回線２１が断線していて火災信号が出力されない可能性がある。この可能性を確認するため、制御部２８は火災受信盤２３からの障害信号の出力の有無を確認する（ステップＳ１０）。そして障害信号が出力されている場合には感知器回線２１が断線していると断定でき、実際には火災が発生している可能性があると判断できるため、ステップＳ４に移行して制御弁１１を開状態に維持して放水を継続する。その後は、上述のステップＳ５、Ｓ６と同じである。したがって感知器回線２１が断線している場合でも、不用意に放水が停止されることがない。
【００３８】
一方、ステップＳ１０において障害信号の出力が確認されない場合には、実際に火災が発生していない可能性の他、実際には火災が発生しているにも関わらず火災受信盤２３の電源遮断やＣＰＵ異常等の機能異常によって火災信号や障害信号が出力されていない可能性がある。この可能性を確認するため、制御部２８の機能検出部２７は所定のタイミングにて所定間隔でスイッチ２６をオンオフ駆動し、感知器回線２１を断線状態又は通線状態とする（ステップＳ１１）。これによって感知器回線２１を流れる微少電流が所定のパルス状態とされる。
【００３９】
また機能検出部２７は、このようにスイッチ２６を駆動した際、火災受信盤２３から出力される障害信号を監視し、障害信号が出力されるか否か、及び出力された障害信号が所定のパルス状態に対応するか否かを判断する（ステップＳ１２）。
そして障害信号が出力されないか、あるいは出力されても所定のパルス状態に対応しない場合には、火災受信盤２３の電源遮断やＣＰＵ異常等の機能異常が存在すると判断する。この場合、ステップＳ４に移行して制御弁１１を開状態に維持して放水を継続する。その後は、上述のステップＳ５〜Ｓ８と同じである。したがって火災受信盤２３が故障している場合でも不用意に放水が停止されることがない。
【００４０】
一方ステップＳ１２において、障害信号が出力され、またこの障害信号が所定のパルス状態に対応することが確認された場合には、火災受信盤２３の電源遮断やＣＰＵ異常等の機能異常が存在せず、実際には火災が発生していないと断定でき、放水はスプリンクラーの破損や漏水によるものと判断できるため、ステップＳ６に移行して制御弁１１を閉状態に制御する。したがって従来と同様に、実際には火災が発生していないにも関わらず放水を開始してしまった場合には、放水を自動的に停止させて水損被害を最小限にとどめることができる。またスプリンクラーヘッド１による放水中に火災受信盤２３が復旧し、火災信号の出力が停止したときには、ステップＳ２→Ｓ９→Ｓ１０→Ｓ１１→Ｓ１２→Ｓ６によって制御弁１１が閉止制御され、放水が停止される。
このようなステップＳ１〜Ｓ１２により、流水信号、火災信号、圧力信号の３つの信号の状態及び火災受信盤２３の状態を監視することで、スプリンクラー制御が行われる。
【００４１】
さてこれまで本発明の一実施形態について説明したが、本発明は上記に示した実施形態に限定されず、その技術的思想の範囲内において種々異なる形態にて実施されてよいものであり、以下、これら異なる形態について説明する。
まず本発明の対象となるスプリンクラー消火設備は、一般住戸用に限定されず、例えば火災受信盤２３やスプリンクラー制御盤２５を監視室等に集約的に設けて構成されたビル設備に適用されてもよい。またスプリンクラー消火設備の全体構成としては、図示の構成以外にも異なる構成が採用されてよい。例えば制御弁１１を流水検知装置１２の一次側に設けてもよい。
【００４２】
また機能検出部２７による火災受信盤２３の正常性検出は、感知器回線２１を断線状態とすること以外の任意の方法で行われてよい。例えば感知器回線２１に対して特定周波数の電流を入力し、障害信号の周波数が特定周波数に対応するか否かを判断することによって行われてもよい。あるいは感知器回線２１に対して抵抗を断続的に接続して線路の抵抗値を増加させ、これによって線路電流を減少させて擬似的な断線状態として特定のパルス状態を作り出してもよい。その他、火災受信盤２３からスプリンクラー制御盤２５に対して、火災受信盤２３自身の正常性を示すための各種信号を出力することも可能である。ただし一般的に火災受信盤２３は低コストの観点から簡易に構成されており、新たな構成を付加することは困難である。また上記実施形態のように感知器回線２１を断線状態とすることが最も簡易な構成であり、したがって上記実施形態によれば最も低コストで最も信頼性の高い火災受信盤２３の正常性検出システムを構築することができる。
【００４３】
また上記実施形態においては、感知器回線２１からの微少電流が検出されなくなった場合には、障害が発生したものと判断されて火災受信盤２３から障害信号が出力されるものとして説明した。しかしながら障害判断の信頼性を向上させるため、火災受信盤２３にはいわゆる蓄積機能が備えられることがある。この蓄積機能とは、微少電流が所定時間（例えばＴ１）以上継続して検出された場合にのみ障害信号を出力する機能である。このような蓄積機能が火災受信盤２３に備えられている場合、機能検出部２７は蓄積機能に対応したスイッチ２６の駆動を行う。具体的に機能検出部２７は、スイッチ２６をＴ１以上の間隔で駆動する。この場合には、このスイッチ２６の駆動により作り出されたパルス状態に対応した障害信号が、火災受信盤２３から確実に出力され得る。したがって蓄積機能を有する火災受信盤２３に対してもその正常性を確実に検出することができる。またこのような蓄積機能は、機能検出部２７における火災受信盤２３の正常性検出や、その他の判断時に適宜採用されてよい。
【００４４】
【発明の効果】
これまで説明したように請求項１記載の本発明は、スプリンクラー制御盤は、火災感知器から火災受信盤に対して火災信号を送出するための感知器回線を用いて、火災受信盤が正常であるか否かを検出する機能検出手段を備え、流水が検知された場合でかつ火災信号がない場合、火災受信盤が正常でないことが検出された場合には、スプリンクラーヘッドへの消火用水の供給を継続するように構成したので、火災受信盤の電源遮断やＣＰＵ異常等の機能異常が存在する場合には制御弁が開状態に維持され放水が継続されるので、火災受信盤の異常時に不用意に放水が停止されることが禁止され、したがって火災消火を一層確実かつ安全に行うことができる。
【００４５】
また本発明は、火災受信盤は、断線状態が検出された場合には障害信号をスプリンクラー制御盤に対して出力し、機能検出手段は、感知器回線を流れる電流を所定のパルス状態とし、火災受信盤から送出される障害信号が所定のパルス状態に対応するか否かを判断することにより、火災受信盤が正常であるか否かを検出することにより、火災受信盤側に新たな構成を付加することなく、火災受信盤の正常性を検出することができる。また感知器回線を断線状態とすることが最も簡易な構成であるため、最も低コストで最も信頼性の高い火災受信盤の正常性検出システムを構築することができる。
【００４６】
しかも請求項２記載の本発明は、感知器回線を断線状態とするためのスイッチを感知器回線の終端側に設け、機能検出手段は、スイッチを介して所定のパルス状態を生成することにより、火災感知器から出力された火災信号はスイッチのオンオフ状態に関係なく火災受信盤に到達し、火災感知を不用意に妨げることがない。
【図面の簡単な説明】
【図１】本発明の一実施形態におけるスプリンクラー消火設備の全体構成を示す図である。
【図２】スプリンクラー制御のフローチャートである。
【図３】従来のスプリンクラー消火設備の全体構成を示す図である。
【符号の説明】
１、５１  スプリンクラーヘッド
２、５２  分岐管
３、５３  給水本管
４、５４  消火ポンプ
５、５５  貯水槽
６、５６  圧力タンク
７、５７  圧力スイッチ
８、５８  ポンプ制御盤
９、５９  モータ
１０、６０  高架水槽
１１、６１  制御弁
１２、６２  流水検知装置
１３  バイパス弁
１４  圧力検出装置
１５、６３  流水検出スイッチ
１６、６６  末端試験弁
１７、６７  オリフィス
１８、６８  圧力計
２０、７０  火災感知器
２１、７１  感知器回線
２２、２９、３１  端子ボックス
２３、７３  火災受信盤
２４  住棟受信盤
２５、６５  スプリンクラー制御盤
２６  スイッチ
２７  機能検出部
２８  制御部
３０  緊急停止スイッチ
３２  電源線
６４  消火用中継器
７２  火報用中継器
【図１】
0003880744.tif 000002
【図２】
0003880744.tif 000003
【図３】
0003880744.tif 000004